(57)【要約】【課題】薄型ディスプレイ装置の付属品箱が、輸送条件や荷扱い条件によって梱包箱の収納からはずれてしまう課題を解決すること。【解決手段】梱包箱に折曲げ線よりもその対辺の方が長くなる形状の切り起こし片と、付属品箱に切り起こし片が嵌り合う切り起こし片と同形状の穴と、穴の内周に切り起こし片を押さえる切り起こし片押さえ部を有し、第１の梱包箱の切り起こし片が第２の梱包箱の穴に嵌り合い、更に、切り起こし片押さえ部が切り起こし片を押さえることにより、第１の梱包箱の切り起こし片を第２の梱包箱の穴からはずれないように位置規制できるので、付属品箱は上下方向、左右方向、奥行き方向のいずれの方向に対しても、梱包箱からはずれにくくなる。【選択図】図１
2008254784.tif 000002
【特許請求の範囲】
【請求項１】
内部に収納空間を有する第１の梱包箱と、前記収納空間に同梱される第２の梱包箱とからなる梱包装置において、
前記第１の梱包箱に折曲げ線よりもその対辺の方が長くなる形状の切り起こし片と、前記第２の梱包箱に前記切り起こし片が嵌り合う前記切り起こし片と同形状の穴を備えたことを特徴とする梱包装置。
【請求項２】
前記切り起こし片は、前記折曲げ線に対して垂直方向に前記第１の梱包箱の厚みと前記第２の梱包箱の厚みを加えた長さの程度の直線部を設けることを特徴とする請求項１記載の梱包装置。
【請求項３】
前記切り起こし片の前記対辺折曲げ線の対辺の周囲に２０ｍｍ以上の隙間があることを特徴とする請求項１記載の梱包装置。
【請求項４】
２つの前記切り起こし片が前記隙間を間に挟みながら向かい合って配置されたことを特徴とする請求項３記載の梱包装置。
【請求項５】
前記穴の内周に前記切り起こし片を押さえる切り起こし片押さえ部を備えたことを特徴とする梱包装置。
【請求項６】
前記穴は、前記切り起こし片が嵌り合う前記切り起こし片の厚み程度の溝を設けることを特徴とする請求項１記載の梱包装置。
【発明の詳細な説明】
【技術分野】
【０００１】
本発明は、商品本体と共に、リモコンや電池などの付属品も同梱して収納する方式をとる梱包装置に関するものである。
【背景技術】
【０００２】
近年、様々な商品においてコンパクト化が進み、それに伴って梱包装置もできる限りコンパクトになるよう改善が進んでいる。そのため梱包装置において、商品の付属品（リモコンや電池など）を配置するスペースも限られている。
【０００３】
付属品は、袋もしくは箱に梱包されて、商品本体と同梱されている状態で出荷されていることが多い。
【０００４】
袋に梱包する方法は、安価であり、内容物を一目で容易に確認できるメリットを持っているが、形状が不定形になるため、商品の梱包箱の内部に固定することが難しい。従来の袋に梱包する方法では緩衝材など別の部品に収納のための構造を設けるか、テープによって固定している。緩衝材に凹部を設けることにより収納する場合は、緩衝材に設計上の制約を与えることになる問題がある。テープなどを用いて固定する場合は、テープを貼る工程が発生するため、工数が増える。また、位置がずれた時や、修正などにより梱包しなおす時、テープをはがす工程、テープを交換する工程、テープを貼る工程が発生するため、非常に作業性が悪くなる問題がある。
【０００５】
一方、箱に梱包する方法は、付属品箱が定形であり、上下方向に長い形状をとることも可能になるので、梱包箱内のスペースを有効に活用することができる。従来の箱に梱包する方法は、底箱開口部に切り込みを入れて内側に折曲げることによって切り起こし片を設け、かつ付属品箱にこの切り起こし片が嵌まり合う穴を設け、さらに底箱の開口部に少なくとも２個の切り起こし片を設け、この切り起こし片によって付属品箱を包装箱の底箱に収納するものである。この方法によって、商品の付属品を安価にかつ容易に梱包することが可能になっている（特許文献１参照）。
【０００６】
図５は、特許文献１に記載された従来の商品の梱包装置の全体構成を示す斜視図である。図５において、底箱５２０に薄型ディスプレイ装置３００を立てた状態で収納した後、付属品箱６００を底箱５２０の薄型ディスプレイ装置３００の背面側に入れ、そして底箱５２０の開口端部に設けた切り起こし５５０Ａ、５５０Ｂを薄型ディスプレイ装置３００側に折曲げることにより、付属品箱２００の両端面が切り起こし５５０Ａによって位置規制されるとともに、切り起こし片５５０Ｂが付属品箱６００の穴６５０に嵌め込まれ、これにより付属品箱６００が底箱５２０内に固定されていた。
【特許文献１】特開２００４−６７１５７号公報
【発明の開示】
【発明が解決しようとする課題】
【０００７】
しかしながら、前記従来の構成では、左右方向に対しての保持・固定は十分であったが、上下方向および奥行き方向に対しての保持・固定が不十分であるため、輸送条件や荷扱い条件によっては付属品箱が梱包箱の収納からはずれてしまう課題を有していた。また、梱包箱の材料の弾性によって、時間が経つと折曲げていた部分が徐々に戻ってくるため、固定状態が解除されてしまう課題も有していた。また、３箇所の切り起こし片を曲げる必要があるため、梱包する際の工数が多くなるという課題を有していた。そして、付属品箱の切り起こし片を曲げるだけで付属品箱の収納を行っているため、作業者は付属品箱が固定されているかどうかの確認をするのが難しいという課題を有していた。
【０００８】
本発明は、前記従来の課題を解決するもので、より少ない工数で組み立てることが可能で、保持してからの時間経過にかかわらず上下方向、左右方向、奥行き方向の全てに対して付属品箱を位置規制することで収納からはずれてしまうことを防ぎ、かつ作業者が固定状態の有無を容易に確認できる構造をもった梱包装置を提供することを目的とする。
【課題を解決するための手段】
【０００９】
前記従来の課題を解決するために、本発明の薄型ディスプレイ装置の梱包装置は、
内部に収納空間を有する第１の梱包箱と、収納空間に同梱される第２の梱包箱とからなる梱包装置であって、第１の梱包箱に折曲げ線よりもその対辺の方が長くなる形状の切り起こし片と、第２の梱包箱に切り起こし片が嵌り合う切り起こし片と同形状の穴と、穴の内周に切り起こし片を押さえる切り起こし片押さえ部を有し、第１の梱包箱の切り起こし片が第２の梱包箱の穴に嵌り合い、更に、切り起こし片押さえ部が切り起こし片を押さえることにより、第１の梱包箱の切り起こし片を第２の梱包箱の穴からはずれないように位置規制できる。
【００１０】
本構成によって、保持してからの時間にかかわらず上下方向、左右方向、奥行き方向の全ての方向に対して付属品箱が底箱に位置規制されており、外れにくい保持状態を実現できる。
【発明の効果】
【００１１】
本発明の梱包装置によれば、より少ない工数で組み立てることが可能で、保持してから経過した時間にかかわらず上下方向、左右方向、奥行き方向の全ての方向に対して付属品箱を位置規制することで、付属品箱が収納からはずれてしまうことを防ぎ、かつ作業者が固定状態の有無を容易に確認できる構造をもった梱包装置を提供することが可能である。
【発明を実施するための最良の形態】
【００１２】
以下本発明を実施するための最良の形態について、図面を参照しながら説明する。
【００１３】
（実施の形態１）
図１は、本発明の実施の形態１における梱包装置の全体構成を示す斜視図である。
【００１４】
梱包装置１００は、上箱１１０と、底箱１２０と、付属品箱２００から構成されており、上箱１１０と底箱１２０を組合せた内部に薄型ディスプレイ３００と付属品箱２００を配置する構成になっている。
【００１５】
上箱１１０は、直方体形状の上面と四周側面とからなり、底箱１２０に上側から被せられるようになっており、段ボールを材料としている。
【００１６】
底箱１２０は、薄型ディスプレイ３００を立てた状態で保持できるような直方体形状の下面と四周側面とからなっており、段ボールを材料としている。その側面には、六角形状に切り込みを入れ内側に曲げることによって、台形の切り起こし片１２２が２つ形成されている。２つの切り起こし片１２２の間には、組立時の作業を容易にするための穴１２１を設けている。
【００１７】
付属品箱２００は、薄型ディスプレイ３００と底箱１２０の間に収納できるような大きさの直方体形状であり、段ボールを材料としている。その側面には底箱１２０に設けた２つの切り起こし片１２２が嵌まり合う穴２０１を有する。
【００１８】
ここで、底箱１２０に設けた切り起こし片１２２について説明する。図２は本発明の実施の形態１における梱包装置の（ａ）梱包箱側の嵌合主要部詳細の正面図、（ｂ）付属品箱側の嵌合主要部詳細の正面図である。
【００１９】
切り起こし片１２２の形状は、切り起こし片１２２を底箱１２０の側面から折曲げた時に、折曲げ線よりもその対辺の方が長くなる台形としている。また、折曲げ線よりもその対辺の方が長くなる多角形または半円のような形状であってもよい。このとき折曲げ線とその対辺の長さの差が２０ｍｍ以上であれば、切り起こし片１２２を付属品箱の穴２０１に挿入した時に、切り起こし片１２２が簡単に奥行き方向に動いてはずれてしまうのを防ぐ効果が高く、本発明において非常に好ましい。
【００２０】
図２（ａ）のように底箱１２０の側面に入れる切込みは、折曲げ線に対して底箱１２０と付属品箱２００のダンボールの厚みを加えた長さ分だけ垂直方向に直線部を設けることで、切り起こし片１２２を穴２０１に挿入しやすくなり、作業性が向上する。
【００２１】
また、底箱１２０の側面に入れる切り込みを図２（ａ）に示すような上下対称の形状にすることで、一箇所から切り起こし片１２２を２つ得られるため、底箱１２０に空ける穴は１つで十分になる。また、１つの切り起こし片１２２で保持する場合と比較すると、挿入完了後に切り起こし片１２２が上下方向に動ける範囲が小さくなり、より完全な保持状態を実現することができる。
【００２２】
底箱１２０に設けた２つの切り起こし片１２２、そして穴１２１の横幅は、作業者が指もしくは片手を内側に突っ込むことが可能で、容易に作業できるような大きさ（２０ｍｍ〜１００ｍｍ）が望ましい。また、穴１２１の上下方向の幅は２０ｍｍ以上であれば指を挿入しやすくなり、切り起こし片１２２を付属品箱２００の穴２０１に挿入したり、付属品箱２００の穴２０１にから切り起こし片１２２をはずしたりするときに作業性がよい。
【００２３】
付属品箱２００に設けた穴２０１は、大きさは切り起こし片１２２とほぼ同じか少し大きいもので、形状は内側に折曲げる前の切り起こし片と同様の形状である。切り起こし片１２２をより完全に位置規制して保持するために、穴２０１の上部及び下部には溝２０３を設け、さらに穴２０１の両端には、穴２０１の左右の辺から内側に向けて張り出した切り起こし片押さえ部２０２を設ける。
【００２４】
切り起こし片押さえ部２０２は上下方向の中央部に横方向のスリットを入れることにより、上半分と下半分が独立して、それぞれ内側にも外側にも左右の辺を折り目とする向きに自由に折曲げることが可能であり、かつ上下方向には曲がりにくい機能を有する。このようにすることで、切り起こし辺１２２を折曲げて穴２０１に挿入する時は、切り起こし片押さえ部２０２も切り起こし片１２２と一緒に内側に折曲がるため簡単に挿入できる。一方、一旦穴２０１に嵌った切り起こし片１２２は、切り起こし片押さえ部２０２によって上下方向に位置規制されており、切り起こし片押さえ部２０２は上下方向には曲がりにくいので、簡単に切り起こし片１２２がはずれない状態を実現できている。また、切り起こし片押さえ部２０２が切り起こし片１２２を押さえているかどうかはその位置関係から一目で判断できるので、作業者は固定状態の有無を容易に確認できる。
【００２５】
図２（ｂ）のように、切り起こし片押さえ部２０２の上下端部は、溝２０３に対して３０°前後の角度をつけてカットされている。この勾配によって切り起こし片１２２の挿入と取り外しがスムーズになり、作業性が向上する。
【００２６】
溝２０３は、上下方向の厚みを下箱１２０のダンボールの厚み程度にする（５ｍｍ前後）ことで、切り起こし片１２２が挿入後に左右方向に動ける量を規制する。また溝２０３の左右方向の幅を、切り起こし片１２２の折曲げ線よりも広く、かつ折曲げ線の対辺よりも狭くすることにより、切り起こし片１２２が挿入後に奥行き方向に簡単にはずれないようにすることができる。
【００２７】
次に、図３に本発明の実施の形態１における切り起こし片が穴に嵌め合わされているときの主要部の（ａ）平面図、（ｂ）正面図、（ｃ）側面図を示す。
【００２８】
図３（ｂ）に示されるように、穴２０１に挿入完了した切り起こし片１２２は穴２０１との嵌め合いにより左右方向に位置規制されており、さらに、切り起こし片押さえ部２０２に押さえられることにより上下方向に位置規制されている。
【００２９】
また、図３（ａ）に示されるように、穴２０１に嵌まった切り起こし片１２２は折曲げ線よりもその対辺の方が長くなる形状であり、内側に折曲げた時には穴２０１の溝２０３よりも切り起こし片１２２の内側部分（図３（ａ）において上側）の方が横幅が広くなるため、図３（ａ）の下向き、つまり付属品箱２００の外側に動ける範囲は制限される。よって、切り起こし片１２２は奥行き方向にも位置規制されている。
【００３０】
上記方法にすれば、付属品箱２００を位置規制している切り起こし片１２２が時間の経過と共に材料の弾性によって元に戻ろうとしても、別部品である切り起こし片押さえ部２０２が上下方向に対しては曲がりにくいため、切り起こし片１２２を押さえ続けることができる。
【００３１】
以上のことより、本発明の方式によって上下方向、左右方向、奥行き方向の全ての方向に対して付属品箱２００が底箱１２０に位置規制されており、時間の経過に関わらず外れにくい固定状態を実現できている。また、作業者は固定状態の有無を容易に確認できる。
【００３２】
（実施の形態２）
図４は、本発明の実施の形態２における梱包装置の全体構成を示す斜視図である。
【００３３】
図４において、図１〜３、および図５と同じ構成要素については同じ符号を用い、説明を省略する。
【００３４】
梱包装置１００は、外箱４００と付属品箱２００から構成されており、外箱４００内部に薄型ディスプレイ３００と付属品箱を２００配置する構成になっている。
【００３５】
外箱４００は、薄型ディスプレイ３００を立てた状態で保持できるような直方体形状で、段ボールによってできている。上面が開閉できるようになっており、上側から内容物の出し入れを行う構造になっている。
【００３６】
付属品箱２００は、薄型ディスプレイ３００と外箱４００の間に収納できるような大きさの直方体形状であり、段ボールを材料としている。その側面には外箱４００に設けた２つの切り起こし片１２２が嵌まり合う穴２０１を有する。
【００３７】
ここで、外箱４００に設けた切り起こし片１２２について説明する。図２は本発明の実施の形態１における梱包装置の（ａ）梱包箱側の嵌合主要部詳細の正面図、（ｂ）付属品箱側の嵌合主要部詳細の正面図である。
【００３８】
切り起こし片１２２の形状は、切り起こし片１２２を外箱４００の側面から折曲げた時に、折曲げ線よりもその対辺の方が長くなる台形としている。また、折曲げ線よりもその対辺の方が長くなる多角形または半円のような形状であってもよい。このとき折曲げ線とその対辺の長さの差が２０ｍｍ以上であれば、切り起こし片１２２を付属品箱の穴２０１に挿入した時に、切り起こし片１２２が簡単に奥行き方向に動いてはずれてしまうのを防ぐ効果が高く、本発明において非常に好ましい。
【００３９】
図２（ａ）のように外箱４００の側面に入れる切込みは、折曲げ線に対して外箱４００と付属品箱２００のダンボールの厚みを加えた長さ分だけ垂直方向に入れることで、切り起こし片１２２を穴２０１に挿入しやすくなり、作業性が向上する。
【００４０】
また、外箱４００の側面に入れる切り込みを図２（ａ）に示すような上下対称の形状にすることで、一箇所から切り起こし片１２２を２つ得られるため、外箱４００に空ける穴は１つで十分になる。また、１つの切り起こし片１２２で保持する場合と比較すると、挿入完了後に切り起こし片１２２が上下方向に動ける範囲が小さくなり、より完全な保持状態を実現することができる。
【００４１】
外箱４００に設けた２つの切り起こし片１２２、そして穴１２１の横幅は、作業者が指もしくは片手を内側に突っ込むことが可能で、容易に作業できるような大きさ（２０ｍｍ〜１００ｍｍ）が望ましい。また、穴１２１の上下方向の幅は２０ｍｍ以上であれば指を挿入しやすくなり、切り起こし片１２２を付属品箱２００の穴２０１に挿入したり、付属品箱２００の穴２０１にから切り起こし片１２２をはずしたりするときに作業性がよい。
【００４２】
付属品箱２００に設けた穴２０１は、大きさは切り起こし片１２２とほぼ同じか少し大きいもので、形状は内側に折曲げる前の切り起こし片と同様の形状である。切り起こし片１２２をより完全に位置規制して保持するために、穴２０１の上部及び下部には溝２０３を設け、さらに穴２０１の両端には、穴２０１の左右の辺から内側に向けて張り出した切り起こし片押さえ部２０２を設ける。
【００４３】
切り起こし片押さえ部２０２は上下方向の中央部に横方向のスリットを入れることにより、上半分と下半分が独立して、それぞれ内側にも外側にも左右の辺を折り目とする向きに自由に折曲げることが可能であり、かつ上下方向には曲がりにくい機能を有する。このようにすることで、切り起こし辺１２２を折曲げて穴２０１に挿入する時は、切り起こし片押さえ部２０２も切り起こし片１２２と一緒に内側に折曲がるため簡単に挿入できる。一方、一旦穴２０１に嵌った切り起こし片１２２は、切り起こし片押さえ部２０２によって上下方向に位置規制されており、切り起こし片押さえ部２０２は上下方向には曲がりにくいので、簡単に切り起こし片１２２がはずれない状態を実現できている。また、切り起こし片押さえ部２０２が切り起こし片１２２を押さえているかどうかはその位置関係から一目で判断できるので、作業者は固定状態の有無を容易に確認できる。
【００４４】
図２（ｂ）のように、切り起こし片押さえ部２０２の上下端部は、溝２０３に対して３０°前後の角度をつけてカットされている。この勾配によって切り起こし片１２２の挿入と取り外しがスムーズになり、作業性が向上する。
【００４５】
溝２０３は、上下方向の厚みを下箱１２０のダンボールの厚み程度にする（５ｍｍ前後）ことで、切り起こし片１２２が挿入後に左右方向に動ける量を規制する。また溝２０３の左右方向の幅を、切り起こし片１２２の折曲げ線よりも広く、かつ折曲げ線の対辺よりも狭くすることにより、切り起こし片１２２が挿入後に奥行き方向に簡単にはずれないようにすることができる。
【００４６】
次に、図３に本発明の実施の形態１における切り起こし片が穴に嵌め合わされているときの主要部の（ａ）平面図、（ｂ）正面図、（ｃ）側面図を示す。
【００４７】
図３（ｂ）に示されるように、穴２０１に挿入完了した切り起こし片１２２は穴２０１との嵌め合いにより左右方向に位置規制されており、さらに、切り起こし片押さえ部２０２に押さえられることにより上下方向に位置規制されている。
【００４８】
また、図３（ａ）に示されるように、穴２０１に嵌まった切り起こし片１２２は折曲げ線よりもその対辺の方が長くなる形状であり、内側に折曲げた時には穴２０１の溝２０３よりも切り起こし片１２２の内側部分（図３（ａ）において上側）の方が横幅が広くなるため、図３（ａ）の下向き、つまり付属品箱２００の外側に動ける範囲は制限される。よって、切り起こし片１２２は奥行き方向にも位置規制されている。
【００４９】
上記方法にすれば、付属品箱２００を位置規制している切り起こし片１２２が時間の経過と共に材料の弾性によって元に戻ろうとしても、別部品である切り起こし片押さえ部２０２が上下方向に対しては曲がりにくいため、切り起こし片１２２を押さえ続けることができる。
【００５０】
以上のことより、本発明の方式によって上下方向、左右方向、奥行き方向の全ての方向に対して付属品箱２００が外箱４００に位置規制されており、時間の経過に関わらず外れにくい固定状態を実現できている。また、作業者は固定状態の有無を容易に確認できる。
【産業上の利用可能性】
【００５１】
本発明にかかる梱包装置は、上下方向、左右方向、奥行き方向の全てに対して商品の付属品箱を位置規制することにより、付属品箱が底箱の収納からはずれてしまうのを防ぐことが可能になるので、薄型ディスプレイ装置をはじめとする、付属品箱を有する梱包装置などにおいて、有用である。
【図面の簡単な説明】
【００５２】
【図１】本発明の実施の形態１における梱包装置の全体構成を示す斜視図
【図２】本発明の実施の形態１における梱包装置の（ａ）梱包箱側の嵌合主要部詳細の正面図、（ｂ）付属品箱側の嵌合主要部詳細の正面図
【図３】本発明の実施の形態１における切り起こし片が穴に嵌め合わされているときの主要部の（ａ）平面図、（ｂ）正面図、（ｃ）側面図
【図４】本発明の実施の形態２における梱包装置の全体構成を示す斜視図
【図５】従来の薄型ディスプレイ装置の梱包装置の全体構成を示す斜視図
【符号の説明】
【００５３】
１００    梱包装置
１１０    上箱
１２０    底箱
１２１    穴
１２２    切り起こし片
２００    付属品箱
２０１    穴
２０２    切り起こし片押さえ部
２０３    溝
３００    薄型ディスプレイ装置
４００    外箱
【図１】
2008254784.tif 000003
【図２】
2008254784.tif 000004
【図３】
2008254784.tif 000005
【図４】
2008254784.tif 000006
【図５】
2008254784.tif 000007